(57)【要約】【課題】並置される複数の導光板を備える導光板装置において、熱により伸び縮みする導光板の並置位置を保つことができるとともに、導光板の熱による伸び縮みを許容することができる導光板装置、該導光板装置を備える光源装置、及び該光源装置を備える表示装置を提供する。【解決手段】略矩形をなし、一短辺側の側面から入光した光を一面から出光する複数の導光板４２を長辺側の側面が対向するように支持体に並置してあり、導光板４２の二つの短辺側の一方を支持体に雄螺子２５にて固定し、他方を長辺の長さ方向へ伸縮することが可能に導光板４２の並置位置を決める複数の凸部２４を備える構成とし、導光板４２の並置位置を保つことができるとともに、導光板４２の固定部分の音鳴りを防ぐことができるようにした。【選択図】図５
2011181272.tif 000002
【特許請求の範囲】
【請求項１】
略矩形をなし、一短辺側の側面から入光した光を一面から出光する複数の導光板を、該導光板を支持する支持体に長辺側の側面が対向するように並置してある導光板装置において、前記導光板の二つの短辺側の一方が前記支持体に固定されており、前記二つの短辺側の他方が長辺の長さ方向へ伸縮するのを可能に前記導光板の並置位置を決める位置決め部を備えることを特徴とする導光板装置。
【請求項２】
前記位置決め部は、前記導光板の長辺側の両側面と係合することが可能に配してある二つの凸部を有する請求項１記載の導光板装置。
【請求項３】
前記位置決め部は、前記導光板の他面が窪み、前記長辺の長さ方向に長い凹所及び該凹所に相対移動を可能に挿入されている凸部を有する請求項１記載の導光板装置。
【請求項４】
前記凹所は、厚さ方向に貫通する孔である請求項３記載の導光板装置。
【請求項５】
前記凸部は光反射性を有する請求項１から３のいずれか一つに記載の導光板装置。
【請求項６】
前記導光板及び支持体の間に配されている光反射板を備え、前記凸部は前記支持体又は光反射板と一体である請求項１から５のいずれか一つに記載の導光板装置。
【請求項７】
隣合う前記導光板間に配され、隣合う導光板の少なくとも一方の長辺側の側面部に係合して該導光板を保持する保持体を有する請求項１から６のいずれか一つに記載の導光板装置。
【請求項８】
前記保持体は、前記支持体又は光反射板に一端が固定され、隣合う前記導光板間に配されている基片及び該基片の他端部から隣合う導光板側へ延出されている二つの爪片を有する請求項７記載の導光板装置。
【請求項９】
光源と、各光源が放射した光が前記一短辺側の側面から入光されるように前記導光板が配されている請求項１から８のいずれか一つに記載の導光板装置とを備えることを特徴とする光源装置。
【請求項１０】
一側に表示面を有する表示部と、該表示部の他側に前記導光板の一面が前記一側へ向くように配されている請求項９に記載の光源装置とを備えることを特徴とする表示装置。
【発明の詳細な説明】
【技術分野】
【０００１】
本発明は側面から入光した光を一面から出光する導光板を備える導光板装置、これを備える光源装置、及びこれを備える表示装置に関する。
【背景技術】
【０００２】
液晶テレビジョン等の薄型と称される液晶の表示装置は、映像を表示する表示面を表側に有し略直方体をなす表示部と、該表示部の裏側に配され、表示部に光を照射する光源部とを備え、該光源部及び前記表示部の間に、拡散板及びプリズムシート等の光学シートが配されている。
【０００３】
表示部は、略直方体をなす液晶表示パネルを有する。液晶表示パネル自身は発光するものでないため、表示面に映像を表示するための光源が必要であり、この光源としてバックライト装置が用いられている。
【０００４】
バックライト装置は、表示部の裏側に導光板を配し、導光板の側面側に光源を配するエッジライト方式と、表示部の裏側に拡散板を配し、該拡散板の裏側に光源を配する直下ライト方式とが一般に採用されている。
【０００５】
バックライト装置のエッジライト方式は、導光板の側面から入光した光を、導光板内を拡散させながら導光板の一面から出光するため、拡散板の裏側に光源が配される直下ライト方式に比べて表示装置の表裏厚さを薄くすることができ、薄型化を促進する点でエッジライト方式を採用するのが有利である。
【０００６】
エッジライト方式のバックライト装置は、液晶表示パネルに対応する大きさの導光板が採用される導光板単一タイプと、短冊形をなす複数の導光板が並置される導光板群タイプとが採用されている（例えば、特許文献１参照）。
【０００７】
特許文献１のバックライト装置は、両端に入光側面を有し、短冊形をなす複数の導光板が並置されている導光板群と、該導光板群を支持する支持体と、複数の発光素子が一列に実装され、導光板の両端と対向する位置に配された回路基板とを備え、各回路基板の発光素子が照射した光を各導光板の両端の入光側面から入光させ、一面から出光するように構成されている。
【先行技術文献】
【特許文献】
【０００８】
【特許文献１】特開２００８−３００１７０号公報
【発明の概要】
【発明が解決しようとする課題】
【０００９】
ところで、特許文献１のような導光板群タイプのバックライト装置にあっては、並置される複数本の冷陰極蛍光ランプ（ＣＣＦＬ）を備えるバックライト装置の光学設計を流用することができるため、光学設計を簡易にでき、また、並置された導光板ごとに点灯タイミングを制御することができるため、動画性能を向上することができる。よって、導光板単一タイプのバックライト装置よりも導光板群タイプのバックライト装置が有利である。
【００１０】
しかし、導光板群タイプのバックライト装置は、透光性及び耐熱性に優れ、軽量化を図ることができるアクリル樹脂等の合成樹脂材にて導光板が形成されているため、光源が発光する際に発生する熱により導光板が伸び縮みする。また、益々大型化されつつある液晶テレビジョンのように大型の表示装置に採用される場合、大型化に伴って導光板が比較的長くなり、該導光板の四辺の寸法差が大きくなるため、熱による導光板の長手方向への伸縮量が多くなり、導光板の並置位置がずれることになる。
【００１１】
導光板の位置ずれをなくするように、短冊形をなす導光板の両入光側面側端部を固定した場合、両入光側面間の熱による伸び縮みにより固定状態を維持することができなくなったり、固定部分にきしみ音が発生したりすることになる。
【００１２】
本発明は斯かる事情に鑑みてなされたものであり、主たる目的は導光板群タイプのバックライト装置において、熱により伸び縮みする導光板の並置位置を保つことができるとともに、導光板の熱による伸び縮みを許容することができる導光板装置、該導光板装置を備える光源装置、及び該光源装置を備える表示装置を提供することにある。
【課題を解決するための手段】
【００１３】
本発明に係る導光板装置は、略矩形をなし、一短辺側の側面から入光した光を一面から出光する複数の導光板を、該導光板を支持する支持体に長辺側の側面が対向するように並置してある導光板装置において、前記導光板の二つの短辺側の一方が前記支持体に固定されており、前記二つの短辺側の他方が長辺の長さ方向へ伸縮するのを可能に前記導光板の並置位置を決める位置決め部を備えることを特徴とする。
【００１４】
この発明にあっては、導光板の長手方向一端側が支持体に固定されているため、導光板の並置位置を保つことができ、しかも、導光板の他端側が位置決め部にて伸縮を可能に位置決めされているため、熱による導光板の伸び縮みを位置決め部にて吸収することができ、導光板固定部分の音鳴りを防ぐことができる。
【００１５】
また、本発明に係る導光板装置は、前記位置決め部は、前記導光板の長辺側の両側面と係合することが可能に配してある二つの凸部を有する構成とするのが好ましい。
この発明にあっては、導光板の熱による伸び縮みを二つの凸部にて案内することができるため、導光板に孔等を設ける必要がなく、導光板の光特性を高めることができる。
【００１６】
また、本発明に係る導光板装置は、前記位置決め部は、前記導光板の他面が窪み、前記長辺の長さ方向に長い凹所及び該凹所に相対移動を可能に挿入されている凸部を有する構成とするのが好ましい。
この発明にあっては、導光板を厚さ方向へ窪む凹所に凸部が挿入されているため、位置決め部に影響されることなく隣合う導光板の側面間の寸法を短縮することができ、隣合う導光板の側面間部分での光むらを軽減することができる。
【００１７】
また、本発明に係る導光板装置は、前記凹所は、厚さ方向に貫通する孔である構成とするのが好ましい。
この発明にあっては、導光板を並置するとき、孔に挿入された凸部を外部から視認することができるため、導光板の並置作業性を高めることができる。
【００１８】
また、本発明に係る導光板装置は、前記凸部は光反射性を有する構成とするのが好ましい。
この発明にあっては、導光板から出光された光が凸部に当たったとき、該光を凸部にて反射させることができるため、凸部による光むらの影響を抑制でき、導光板の光特性を高めることができる。
【００１９】
また、本発明に係る導光板装置は、前記導光板及び支持体の間に配されている光反射板を備え、前記凸部は前記支持体又は光反射板と一体である構成とするのが好ましい。
この発明にあっては、光反射板を支持体に支持することにより、凸部を適正位置に配することができるため、凸部を有することによる組込作業工程の増加をなくすることができる。
【００２０】
また、本発明に係る導光板装置は、隣合う前記導光板間に配され、隣合う導光板の少なくとも一方の長辺側の側面部に係合して該導光板を保持する保持体を有する構成とするのが好ましい。
この発明にあっては、導光板の長手方向中央側に欠除部、孔等を設けることなく導光板の長手方向中央側を支持体に保持することができるため、光の導光板内部での拡散を均等化させることができるとともに、導光板の反りを防ぐことができる。
【００２１】
また、本発明に係る導光板装置は、前記保持体は、前記支持体又は光反射板に一端が固定され、隣合う前記導光板間に配されている基片及び該基片の他端部から隣合う導光板側へ延出されている二つの爪片を有する構成とするのが好ましい。
この発明にあっては、隣合う二つの導光板を一つの保持体が保持しており、導光板に対する保持体の個数を低減できるため、保持体による光むらの影響を抑制でき、導光板の光特性を高めることができる。
【００２２】
また、本発明に係る光源装置は、光源と、各光源が放射した光が前記一短辺側の側面から入光されるように前記導光板が配されている上述した発明の導光板装置とを備えることを特徴とする。
この発明にあっては、並置された導光板の長手方向一端側が支持体に固定されているため、導光板の並置位置を保つことができ、しかも、導光板の他端側が位置決め部にて伸縮を可能に位置決めされているため、熱による導光板の伸び縮みを位置決め部にて吸収することができ、導光板固定部分の音鳴りを防ぐことができる。
【００２３】
また、本発明に係る表示装置は、一側に表示面を有する表示部と、該表示部の他側に前記導光板の一面が前記一側へ向くように配されている上述した発明の光源装置とを備えることを特徴とする。
この発明にあっては、並置された導光板の長手方向一端側が支持体に固定され、他端側が位置決め部にて伸縮を可能に位置決めされているため、導光板の並置位置を保つことができるとともに、熱による導光板の伸び縮みを位置決め部にて吸収することができ、導光板固定部分の音鳴りを防ぐことができる。
【発明の効果】
【００２４】
本発明によれば、導光板の並置位置を保つことができるとともに、並置される導光板の熱による伸び縮みを位置決め部にて吸収することができ、導光板固定部分の音鳴りを防ぐことができる。
【図面の簡単な説明】
【００２５】
【図１】本発明に係る表示装置の構成を示す正面図である。
【図２】本発明に係る表示装置の一部を省略した縦断平面図である。
【図３】本発明に係る表示装置の一部を省略した縦断側面図である。
【図４】本発明に係る表示装置の透光パネル後面側の構成を示す背面図である。
【図５】本発明に係る表示装置の導光板部分の構成を示す正面図である。
【図６】本発明に係る表示装置の導光板保持部分の構成を示す縦断側面図である。
【図７】本発明に係る表示装置の導光板固定部分の構成を示す拡大縦断側面図である。
【図８】本発明に係る表示装置の導光板位置決め部分の構成を示す拡大縦断側面図である。
【図９】本発明に係る表示装置の導光板保持部分の構成を示す拡大縦断側面図である。
【図１０】導光板部分の他の構成を示す正面図である。
【図１１】導光板部分の他の構成を示す縦断平面図である。
【図１２】位置決め部の他の構成を示す縦断平面図である。
【図１３】導光板部分の他の構成を示す正面図である。
【図１４】第１の保持体部分の他の構成を示す拡大縦断側面図である。
【発明を実施するための形態】
【００２６】
以下本発明をその実施の形態を示す図面に基づいて詳述する。
実施の形態１
図１は本発明に係る表示装置の構成を示す正面図、図２は表示装置の一部を省略した縦断平面図、図３は表示装置の一部を省略した縦断側面図、図４は透光パネル後面側の構成を示す背面図、図５は導光板部分の構成を示す正面図である。
【００２７】
この表示装置はテレビ画像を表示する表示面１ａを前側に有する表示パネル１と、該表示パネル１の前面に貼付けにより積層されているガラス板製の透光パネル２と、該透光パネル２の周縁周りを覆う環体３と、表示パネル１の後側に配されている光源部４と、該光源部４及び表示パネル１の間に配されている拡散板５と、該拡散板５に積層されている光学シート６と、該光学シート６及び表示パネル１の間に配され、表示パネル１の周縁部後面と対向する枠体７と、光源部４の後側を覆うカバー８とを備え、表示パネル１の前側に表示されるテレビ画像を透光パネル２の前方から視認することができるように構成された液晶テレビジョン、換言すれば液晶表示装置である。尚、表示パネル１及び透光パネル２が表示部を構成している。
【００２８】
表示パネル１は略直方体をなし、前面及び後面に偏光板が接合されている。
【００２９】
透光パネル２は、表示パネル１よりも厚く、表示パネル１よりも大形の略直方体をなし、周縁部後面に、筒形ボス９１又は９２を有する結合体９が周方向に離隔して複数取付けられている。
【００３０】
結合体９は、図４に示すように略矩形又は略Ｌ字形をなし、透光パネル２の周縁に沿って四辺部に配される板部９３と、該板部９３に一端部がカシメ加工され、長さが短い第１の筒形ボス９１又は長さが長い第２の筒形ボス９２を有し、板部９３が両面テープ９４等の取付手段により透光パネル２の周縁部後面に取付けられ、筒形ボス９１，９２が後方へ向けて突出している。
【００３１】
結合体９は、略矩形をなす板部に第１の筒形ボス９１が設けられている第１の結合体９ａと、略矩形をなす板部に第２の筒形ボス９２が設けられている第２の結合体９ｂと、略Ｌ字形をなす板部に第１の筒形ボス９１が設けられている第３の結合体９ｃとを有し、第１の結合体９ａは、透光パネル２における下辺部の長さ方向中央側に配され、第２の結合体９ｂは、透光パネル２における上辺部の中央側及び両側辺部の長さ方向中央側に配され、第３の結合体９ｃは、透光パネル２の四つの隅部に配されている。
【００３２】
環体３は、透光パネル２の周面とラジアル方向へ離隔して対向し、略直方形をなす覆環部３１と、該覆環部３１の後側から中央側へ延出され、透光パネル２の周縁部後面に対向し、雄螺子３０にて板部９３に取付けられる延出凸部３２と、覆環部３１及び延出凸部３２からラジアル方向外方へ先細に突出する先細突部３３とを有する合成樹脂製である。
【００３３】
延出凸部３２は環状をなし、周方向へ離隔した複数の位置には、結合体９の第１の筒形ボス９１が挿入される貫通孔３２ａが開設され、板部９３に受止められている状態で筒形ボス９１に螺入される雄螺子３０にて結合体９に取付けられるようになしてある。
【００３４】
先細突部３３は、環体３の前縁及び後縁から厚さ方向中央に向けて先細に突出する断面略Ｖ字形をなし、環体３の周縁部が視認されたとき、該環体３の厚さが薄く見えるようになしてある。先細突部３３の元側後面には、前方へ窪む環状凹所３４及び保持溝３５が全周に亘って設けられ、環状凹所３４に、カバー８の嵌入口部が後方から嵌入され、防塵性を高めてある。
【００３５】
光源部４は、透光パネル２の周縁部後側に取付けられ、該透光パネル２の周縁部を支持する皿形状の支持体４１と、短冊形をなし支持体４１内に上下に複数列に並置された導光板４２と、該導光板４２の後側に配された光反射板４３と、導光板４２の両端側に上下に配された光源としての複数の発光ダイオード４４と、短冊形をなし導光板４２の両端側に配される発光ダイオード４４を一面に実装してある発光ダイオード基板４５と、該発光ダイオード基板４５及び導光板４２間に配されたリフレクタ４６と、各発光ダイオード基板４５の他面に対接する放熱体４７とを備える。
【００３６】
支持体４１は、金属板を横方向に長い略矩形の浅皿状に成形してなり、透光パネル２よりも若干小形に形成された板部４１ａを有する。支持体４１内には、板部４１ａよりも小形に形成された光反射板４３が載置され、該光反射板４３に導光板４２が上下複数列に並置されている。支持体４１の後面には、電源回路基板等の複数の回路基板２０が取付けられ、また、後面下部にはスタンド１０が取付けられる。
【００３７】
支持体４１内の横方向両側部には発光ダイオード基板４５及び放熱体４７が上下に長くなるように載置され、該発光ダイオード基板４５に実装されている発光素子としての発光ダイオード４４が導光板４２の一端及び他端と対向し、放熱体４７が枠部内面と対向している。
【００３８】
板部４１ａにおける外周部の第２の筒形ボス９２と対向する位置には挿通孔４１ｂが開設され、該挿通孔４１ｂ周りが枠体７の一部を介して筒形ボス９２の先端に対向し、挿通孔４１ｂから筒形ボス９２内に螺入される雄螺子２１にて透光パネル２に結合されるようになしてある。また、外周部の挿通孔４１ｂと偏倚した位置には、嵌入孔４１ｃを有する凸形結合部４１ｄが一体成形され、該凸形結合部４１ｄにカバー８が取外し可能に結合されている。
【００３９】
板部４１ａには光反射板４３を取付けるための複数の係止孔４１ｅと、光反射板４３の摺動を規制するための止孔４１ｆとが開設されている。係止孔４１ｅは隣合う導光板４２の間に上下に長くなるように開設された長孔である。
【００４０】
図６は導光板保持部分の構成を示す縦断側面図、図７は導光板固定部分の構成を示す拡大縦断側面図、図８は導光板位置決め部分の構成を示す拡大縦断側面図、図９は導光板保持部分の構成を示す拡大縦断側面図である。
光反射板４３は、板部よりも若干小形の矩形をなし、横方向に長い合成樹脂製の厚板部材４３ａと、高反射性を有し、厚板部材４３ａの前面に重なり合う薄板部材４３ｂとからなる。
【００４１】
厚板部材４３ａは高反射性を有し、横方向一端部で上下に離隔した位置には、導光板４２の一端部を取付けるための複数の取付孔４３ｃが開設されており、横方向中央部で前面の上下に離隔した位置には、導光板４２の中央部を支持体４１に保持する第１及び第２の保持体２２，２３が一体成形されており、横方向他端部で前面の上下に離隔した位置には、熱により導光板４２が長手方向へ伸縮するのを可能に導光板４２の並置位置を決める位置決め用の凸部２４が一体成形されている。また、横方向中央部で後面の上下に離隔した位置には、係止孔４１ｅに挿入係止される係止爪４３ｄが一体成形されている。また、厚板部材４３ａの後面には止孔４１ｆに嵌入係止される凸状の止部４３ｅが一体成形されている。
【００４２】
薄板部材４３ｂには、取付孔４３ｃに対応する複数の嵌入孔と、第１及び第２の保持体２２，２３が挿通される複数の挿通孔と、位置決め用の凸部２４が挿通される複数の挿通孔とが開設されている。
【００４３】
第１の保持体２２は、厚板部材４３ａの前面から前方へ突出する基片の先端側から上下両側へ突出する爪片２２ａ，２２ａを有する略Ｔ字形をなし、導光板４２の並置間隔と等しい間隔で配され、爪片２２ａが導光板４２の長手方向中央部における長辺側の側面部に係合するように構成されている。
【００４４】
第２の保持体２３は、厚板部材４３ａの前面から前方へ突出する基片の先端部から上下一側へ突出する爪片２３ａを有する略Ｊ字形をなし、第１の保持体２２の上側及び下側に導光板４２の並置間隔と等しい間隔で配され、爪片２３ａが導光板４２の長手方向中央部における長辺側の側面部に係合するように構成されている。
【００４５】
位置決め用の凸部２４は厚板部材４３ａの前面から前方へ突出しており、導光板４２の長手方向他端側における長辺側の側面と係合することが可能に上下に離隔して配され、導光板４２の並置位置を決めることができるように構成されている。
【００４６】
係止爪４３ｄは厚板部材４３ａから後方へ突出する脚部の先側が一方へ屈曲する略Ｌ字形をなし、係止孔４１ｅに挿通された状態で光反射板４３が板部４１ａに沿う方向へ摺動されることにより、係止爪４３ｄが係止孔４１ｅ内を移動し、係止孔４１ｅ周りに係止されるように構成されている。
【００４７】
導光板４２は、短辺側の両端に入光側面４２ａを配し、厚さ方向一面に出光面４２ｂを配してある。一面の長辺側には、該長辺側の側面から窪む係合凹所４２ｃ，４２ｃを全長にわたって有し、断面略Ｔ字形に形成され、一面の出光面４２ｂが拡散板５と対向し、他面が光反射板４３と対向している。
【００４８】
導光板４２の長手方向一端部には取付孔４３ｃに対応する段付の貫通孔４２ｄが開設され、該貫通孔４２ｄの大径孔部から取付孔４３ｃに嵌入される雄螺子２５にて導光板４２の長手方向一端側が光反射板４３に取付けられる。導光板４２の長手方向他端側は、上下に離隔して配されている位置決め用の凸部２４，２４間に挿嵌され、凸部２４，２４にて相対移動を可能に保持される。
【００４９】
並置方向中央側に配される導光板４２の長手方向中央部における長辺側の側面部は第１の保持体２２の爪片２２ａ，２２ａに係合し、並置方向両側に配されるの導光板４２の長手方向中央部における長辺側の側面部は第２の保持体２３の爪片２３ａに係合するように構成されている。また、導光板４２は、アクリル樹脂、ポリカーボネート樹脂等の合成樹脂材を押出し成形してなる長尺の導光板を所定の長さに切断することにより形成されている。
【００５０】
発光ダイオード基板４５は短冊形をなすアルミニウム材にて放熱性を高めてあり、複数の発光ダイオード４４が長手方向に離隔して一列に実装されており、他面が放熱体４７に結合され、発光ダイオード４４から発光ダイオード基板４５に伝熱された熱を放熱体４７から放熱させるように構成されている。放熱体４７の複数箇所には嵌入孔４７ａが開設されており、また、放熱体４７は複数本の雄螺子にて支持体４１に固定される。
【００５１】
リフレクタ４６は、導光板４２の入光側面及び発光ダイオード基板４５と対向し、発光ダイオード４４と対向する位置に入射孔が開設され、該入射孔に発光ダイオード４４が配され、発光ダイオード４４が放射した光が入射孔を経て導光板４２の入光側面に入光されるように構成されている。
【００５２】
拡散板５は導光板４２の出光面４２ｂから出光された光を拡散するもので、表示パネル１に対応して略直方形に形成され、導光板４２の出光面４２ｂに載置されている。
【００５３】
光学シート６は、導光板４２にて拡散された光を偏光する反射偏光シート、プリズムシート、拡散シート等の比較的薄肉で、透光性及び可撓性を有する合成樹脂シートからなり、表示パネル１に対応して略矩形に形成されている。
【００５４】
枠体７は、表示パネル１の周縁部後面に対向する矩形の環状板部７１及び該環状板部７１の外縁側で、第２の筒形ボス９２に対向する位置に突設された嵌合筒部７２を有する合成樹脂製である。環状板部７１前面の内縁側に、表示パネル１の周縁部に接触する防塵帯が接着剤により貼付けられ、環状板部７１後面の内縁側に、光学シート６の周縁部に接触する防塵帯が接着剤により貼付けられている。また、枠体の両側における環状板部７１には嵌入孔４７ａに対応する挿通孔が開設され、該挿通孔から嵌入孔４７ａに挿入される軸体２６にて枠体７が放熱体４７に結合されるように構成されている。また、嵌合筒部７２には、筒形ボス９２が嵌入される大径孔及び該大径孔と段部を経て連なる小径孔を有し、筒形ボス９２の先端が段部に当接し、枠体７を受止めている。
【００５５】
カバー８は、支持体４１後側を覆う略矩形の深皿形をなし、前方へ開放された嵌入口部を有し、該嵌入口部が環状凹所３４に嵌入されている。また、カバー８には凸形結合部４１ｄと対向する複数の筒形ボス８１が突設され、該筒形ボス８１から凸形結合部４１ｄの嵌入孔４１ｃに螺入される雄螺子８２にて支持体４１に結合されている。
【００５６】
スタンド１０は、支持体４１の下部後面に設けられているスタンド取付部に複数本の雄螺子にて取付けられ、透光パネル２の下縁よりも下方へ突出している支柱と、該支柱の下端に結合されているベースとを有する。
【００５７】
以上のように構成された液晶表示装置の組立ては例えば次の(1) 〜(9) の工程で行う。
(1) 作業台上に前面を上向にして平置きされた支持体４１内の両側部に、放熱体４７が結合されている発光ダイオード基板４５及びリフレクタ４６が載置され、支持体４１内の両側の発光ダイオード基板４５，４５間に光反射板４３が載置される。光反射板４３は、係止爪４３ｄが係止孔４１ｅに挿入された状態で板部４１ａに沿って摺動されることにより、係止爪４３ｄが係止孔４１ｅの周りに係止され、止部４３ｅにて摺動が阻止される。また、放熱体４７は雄螺子にて板部４１ａに固定される。
(2) 光反射板４３に複数の導光板４２が平行に並置される。上下方向中央側の導光板４２は、長手方向中央部が二つの第１の保持体２２，２２間に配置され、該保持体２２，２２の爪片２２ａにて係合凹所４２ｃが長手方向への相対移動を可能に保持される。上下方向両側の導光板４２は、長手方向中央部が第１及び第２の保持体２２，２３間に配置され、該保持体２２，２３の爪片２２ａ，２３ａにて係合凹所４２ｃが保持される。また、各導光板４２の長手方向一端側における貫通孔４２ｄから取付孔４３ｃに雄螺子２５が螺入され、導光板４２の一端部が光反射板４３に固定される。また、各導光板４２の長手方向他端部が、二つの位置決め用の凸部２４，２４間に配置され、長手方向への相対移動を可能に保持される。
(3) 導光板４２上に拡散板５が載置され、該拡散板５上に光学シート６が載置される。
(4) 光学シート６上に枠体７が載置され、該枠体７の周縁部が軸体２６にて放熱体４７に取付けられる。
(5) 表示面１ａに透光パネル２が貼付られている表示パネル１及び透光パネル２が、該透光パネル２が下側となるように作業台上に平置きされ、該透光パネル２の周縁部後面に環体３が載置され、第１の筒形ボス９１に螺入される雄螺子３０にて第１の結合体９ａに結合される。
(6) 枠体７が下側となるように支持体４１が反転され、この反転状態で表示パネル１の上側に載置される。
(7) 支持体４１の挿通孔４１ｂから第２の結合体９ｂの筒形ボス９２内に雄螺子２１が螺入され、透光パネル２が支持体４１に結合される。
(8) 支持体４１の上向きになっている板部４１ａに電源回路基板等の複数の回路基板２０が雄螺子にて取付けられ、また、板部４１ａにスタンド１０が雄螺子にて取付けられる。
(9) 支持体４１の上側からカバー８が被嵌され、筒形ボス８１から凸形結合部４１ｄの嵌入孔４１ｃに雄螺子８２が螺入され、カバー８が取付けられる。
【００５８】
以上のように並置される導光板４２の長手方向一端側が雄螺子２５にて固定され、他端側が位置決め用の凸部２４，２４にて長手方向への相対移動を可能に保持されているため、熱により導光板４２が長手方向へ伸び縮みすることがあっても導光板４２の一端側の入光側面４２ａと発光ダイオード４４との間の離隔寸法を保つことができ、また、導光板４２の熱による伸び縮みを位置決め用の凸部２４にて吸収することができ、導光板固定部分の音鳴りを防ぐことができる。また、導光板４２の他端側の入光側面と発光ダイオード４４との間の離隔寸法は、導光板４２の熱による伸び縮み量に対応して予め設定することができ、該離隔寸法を均等化できる。
【００５９】
並置される導光板４２の長手方向中央部を、導光板４２の長辺側に配される二つの保持体２２，２２の爪片２２ａ、又は二つの保持体２２，２３の爪片２２ａ，２３ａにて保持することができるため、導光板の長手方向中央側に変形部、欠除部、孔等を設けることなく導光板４２の長手方向中央側を支持体４１に保持することができ、保持体２２，２３による光むらの影響を抑制でき、導光板４２の光特性が低下するのを防ぐことができ、また、一つの保持体２２が、隣合う二つの導光板４２，４２を保持するため、導光板４２に対する保持体２２の個数を低減でき、保持体２２による光むらの影響を抑制でき、導光板４２の光特性を高めることができる。
【００６０】
実施の形態２
図１０は導光板４２部分の他の構成を示す正面図、図１１は導光板４２部分の他の構成を示す縦断平面図である。この実施の形態は二つの位置決め用の凸部２４に代えて、導光板４２の長手方向他端部に、厚さ方向へ貫通し、導光板４２の長手方向に長い長孔２７を設け、長手方向への相対移動を可能に長孔２７に嵌入される凸部２８を光反射板４３の厚板部材４３ａと一体に設けたものである。
【００６１】
凸部２８は長孔２７の幅寸法より若干小径であり、導光板４２の上下位置、換言すると並置位置を決めており、熱による導光板４２の長手方向への伸縮を長孔２７にて吸収するようになしてある。薄板部材４３ｂには凸部２８に対応する孔が開設されている。
【００６２】
この実施の形態にあっては、凸部２８が長孔２７に嵌入され、導光板４２の他端側が位置決めされているため、熱による導光板４２の伸び縮みを長孔２７及び凸部２８にて吸収することができ、導光板固定部分の音鳴りを防ぐことができる。
その他の構成及び作用は実施の形態１と同様であるため、同様の部品については同じ符号を付し、その詳細な説明及び作用効果の説明を省略する。
【００６３】
実施の形態３
図１２は位置決め部の他の構成を示す縦断平面図である。この実施の形態は長孔２７に代えて、導光板４２の長手方向他端部に、該導光板４２の他面が窪み、長辺の長さ方向に長い長円形の凹所２９を設け、該凹所２９に凸部２８が相対移動を可能に挿入される構成としたものである。
【００６４】
凹所２９は凸部２８との係合を保つことができる程度の比較的浅い窪みであり、該凹所２９に凸部２８が挿入され、導光板４２の他端側が位置決めされているため、熱による導光板４２の伸び縮みを凹所２９及び凸部２８にて吸収することができ、導光板固定部分の音鳴りを防ぐことができる。
その他の構成及び作用は実施の形態１、２と同様であるため、同様の部品については同じ符号を付し、その詳細な説明及び作用効果の説明を省略する。
【００６５】
実施の形態４
図１３は導光板４２部分の他の構成を示す正面図である。この実施の形態は位置決め用の凸部２４を、第１及び第２の保持体２２，２３と同様の構成としたものである。上下方向中央側の凸部２４は、厚板部材４３ａの前面から前方へ突出する基片の先端部から上下両側へ突出する爪片を有する略Ｔ字形をなし、導光板４２の並置間隔と等しい間隔で配され、爪片が導光板４２の長辺側の側面部に係合するように構成されている。上下方向端側の凸部２４は、厚板部材４３ａの前面から前方へ突出する基片の先端部から上下一側へ突出する爪片を有する略Ｊ字形をなし、上下方向中央側の位置決め凸部２４の上側及び下側に導光板４２の並置間隔と等しい間隔で配され、爪片が導光板４２の長辺側の側面部に係合するように構成されている。
その他の構成及び作用は実施の形態１と同様であるため、同様の部品については同じ符号を付し、その詳細な説明及び作用効果の説明を省略する。
【００６６】
実施の形態５
図１４（ａ），（ｂ），（ｃ）は第１の保持体部分の他の構成を示す拡大縦断側面図である。図１４（ａ）は厚板部材４３ａと一体に成形される第１の保持体２２を、厚板部材４３ａから前方へ突出する筒形凸部２２ｂとし、該筒形凸部２２ｂの先端部を変形させることにより、上下に隣合う導光板４２の長手方向中央部における長辺側の側面部を保持する構成としたものである。
【００６７】
図１４（ｂ）は第１の保持体２２が雄螺子２２ｃであり、該雄螺子２２ｃの捩込みにより、上下に隣合う導光板４２の長手方向中央部における長辺側の側面部を保持する構成としたものである。
【００６８】
図１４（ｃ）は第１の保持体２２が鍔付ピン２２ｄであり、該鍔付ピン２２ｄの嵌入により、上下に隣合う導光板４２の長手方向中央部における長辺側の側面部を保持する構成としたものである。
その他の構成及び作用は実施の形態１と同様であるため、同様の部品については同じ符号を付し、その詳細な説明及び作用効果の説明を省略する。
【００６９】
尚、以上説明した実施の形態では、表示パネル１の後側に配される光源部４が、導光板４２及び該導光板４２のエッジ側に配される光源としての発光ダイオード４４（発光素子）を有する構成としたが、その他、光源は冷陰極管等のランプであってもよい。
【００７０】
また、以上説明した実施の形態では、導光板４２の長手方向両端側に発光ダイオード４４を配する構成としたが、その他、導光板４２の長手方向一端側に発光ダイオード４４が配される構成であってもよい。
【００７１】
また、以上説明した実施の形態では、導光板４２と支持体４１との間に光反射板４３を備え、該光反射板４３に保持体２２，２３及び位置決め用の凸部２４が設けられている構成としたが、その他、光反射板４３をなくし、支持体４１に保持体２２，２３及び凸部２４を設ける構成としてもよい。この場合、保持体２２，２３は金属板製の支持体４１に対して着脱可能とするが、その他、合成樹脂製の支持体に対しては保持体を支持体と一体に設けてもよい。また、光反射板４３を有する構成においても、保持体２２，２３は着脱可能としてもよい。
【００７２】
また、光反射板４３をなくした場合、導光板４２の他面又は支持体４１の板部４１ａが光反射層を有する構成とする。
【００７３】
また、以上説明した実施の形態では、光反射板４３が厚板部材４３ａ及び薄板部材４３ｂを有する構成としたが、その他、いずれか一方だけを有する構成としてもよい。
【００７４】
また、以上説明した実施の形態では、導光板４２の長手方向一端部を雄螺子２５にて固定したが、その他、貫通孔４２ｄに嵌入される鍔付ピンにて固定する構成としてもよいし、また、導光板４２の短辺に沿う方向に長い杆状部材にて各導光板４２を押付けて固定する構成としてもよく、固定手段は特に制限されない。
【符号の説明】
【００７５】
１    表示パネル（表示部）
１ａ  表示面
４    光源部（光源装置）
４１  支持体
４２  導光板
４３  光反射板
４４  発光ダイオード（光源）
２２，２３  保持体
２２ａ，２３ａ  爪片
２４  凸部（位置決め部）
２７  長孔（位置決め部、孔）
２８  凸部（位置決め部）
２９  凹所（位置決め部）
【図１】
2011181272.tif 000003
【図２】
2011181272.tif 000004
【図３】
2011181272.tif 000005
【図４】
2011181272.tif 000006
【図５】
2011181272.tif 000007
【図６】
2011181272.tif 000008
【図７】
2011181272.tif 000009
【図８】
2011181272.tif 000010
【図９】
2011181272.tif 000011
【図１０】
2011181272.tif 000012
【図１１】
2011181272.tif 000013
【図１２】
2011181272.tif 000014
【図１３】
2011181272.tif 000015
【図１４】
2011181272.tif 000016